【事件の表示】
　特願２０１３−１１０１２５「オイルフィルターの取外し工具」拒絶査定不服審判事件〔平成２６年１２月　８日出願公開、特開２０１４−２２７９７１〕について、次のとおり審決する。
【結　論】
　本件審判の請求は、成り立たない。
【理　由】
第１　手続の経緯  
　本願は、平成２５年５月２４日の出願であって、平成２５年６月２５日付けで拒絶理由通知がされ、平成２５年８月９日に意見書及び手続補正書が提出され、平成２５年９月１０日に手続補正書が提出され、平成２５年１０月２日付け通知書により平成２５年８月９日に提出された手続補正書が返戻され、平成２５年１２月５日付けで再び拒絶理由通知がされ、平成２６年１月２２日に意見書及び手続補正書が提出されたが、平成２６年３月２５日付けで拒絶査定がされ、平成２６年６月５日に拒絶査定に対する審判請求がされたものである。　  
 　  
 　 
第２　本願発明  
　本願の請求項１及び２に係る発明は、平成２６年１月２２日付け提出の手続補正書によって補正された特許請求の範囲並びに出願当初の明細書及び図面からその特許請求の範囲の請求項１及び２に記載された事項により特定されるとおりのものと認めるところ、その請求項１に記載された発明（以下、「本願発明」という。） は以下のとおりである。
 　 
「　【請求項１】
　基部と、
　前記基部に立設され、オイルフィルターに突刺し可能な突起部と、
　前記基部に設けられ、前記基部を回転させるための工具を係合する係合部と、
を有し、
　前記基部は、板状であり、前記突起部を複数有しており、
　前記係合部は、前記基部において、前記オイルフィルターの前記エンジンエレメントに取り付けられている面と対向する面に対向して配置される面に設けられており、
　前記突起部を、前記オイルフィルターの前記エンジンエレメントに取り付けられている面と対向する面に突刺し、前記突起部を前記オイルフィルターの内部に収容されているフィルター本体に達するように突刺した状態で、前記工具を前記係合部に係合して前記基部を回転させることにより、前記突起部が前記オイルフィルターを回転させて前記エンジンエレメントから前記オイルフィルターを取外し可能であることを特徴とするオイルフィルターの取外し工具。」
 　 
 　 
第３　引用文献に記載された発明 
（１）本願の出願前に頒布された刊行物であって、原査定の拒絶の理由に引用された特開２００１−２８７１７２号公報（以下、「引用文献」という。）には、図面とともに次の記載がある。なお、下線は理解の一助とするために当審が付したものである。 
 　 
ア．「【０００１】
【発明の属する技術分野】
本発明は、エレメントケースの回転補助具に関するものであり、更に詳しくは、自動車等におけるフィルターエレメントを収容するエレメントケースをエンジンケース等の取付相手側部材に取り付け或いは該取付相手側部材から取り外す際に該エレメントケースを容易に回転させるようにした回転補助具に係るものである。
 　 
イ．「【００１８】
【発明の実施の形態】次に、本発明の実施の形態を添付図面に従って説明する。まず、フィルターエレメント３を収容するエレメントケース１について説明する。
エレメントケース１は基端１ａに取付ねじ５を備えており、該取付ねじ５によりエンジンケース等の取付相手側部材８に螺合されている。
【００１９】図１〜図３に示す事例について説明する。符号７に示すものは略円板状体である。略円板状体７の一側面７ａにはエレメントケース１の閉塞端１ｂに適合する形状を備えさせると共に略円板状体７の該一側面７ａをエレメントケース１の閉塞端１ｂに粘着させるための粘着手段９を備えさせる。粘着手段９としては略円板状体７の該一側面７ａに両面粘着テープを取り付けることが望ましい。
略円板状体７の他側面７ｂにはレンチ等の工具により略円板状体７を回転させるための係止角柱１１を突設する。
 　 
ウ．「【００２４】
以下、図６、図７に示す事例については図１〜図３に示す事例との相違点についてのみ説明する。
略円板状体７には該略円板状体７をエレメントケース１に固定するための尖端付き固定具２１を貫通させる孔２５を備えさせる。尖端付き固定具２１は溝（図示せず。）付きの頭部を備えた円錐状体におねじを刻設してなるものとし、該尖端付き固定具２１を貫通させる孔２５には該尖端付き固定具２１のおねじに対応するめねじを備えさせることが望ましい。
【００２５】この事例においては、
尖端付き固定具２１を略円板状体７の孔２５に貫通させてエレメントケース１の閉塞端１ｂに突き刺すことにより略円板状体７をエレメントケース１に固定した状態で略円板状体７を回転させることによりエレメントケース１を回転させるようになす。
 　　　　　　 
（２）ここで、上記（１）ア．ないしウ．及び図面から、次のことが分かる。 
 　 
カ．上記ア．ないしウ．並びに図１ないし図３、図６及び図７の記載から、エレメントケースの回転補助具は、略円板状体７と、エレメントケース１に突刺し可能な尖端付き固定具２１と、略円板状体７に設けられ、略円板状体７を回転させるためのレンチ等の工具を係合する係止角柱１１と、を有していることが分かる。 
 　 
キ．上記ウ．の段落【００２４】の「
略円板状体７には該略円板状体７をエレメントケース１に固定するための尖端付き固定具２１を貫通させる孔２５を備えさせる。尖端付き固定具２１は溝（図示せず。）付きの頭部を備えた円錐状体におねじを刻設してなるものとし、該尖端付き固定具２１を貫通させる孔２５には該尖端付き固定具２１のおねじに対応するめねじを備えさせることが望ましい。
 　 
ク．上記ア．ないしウ．並びに図１ないし図３及び図６及び図７の記載から、係止角柱１１は、略円板状体７において、エレメントケース１のエンジンケース等の取付相手側部材８に取り付けられている基端１ａと対向する閉塞端１ｂに対向して配置される他側面７ｂに設けられており、尖端付き固定具２１を、エレメントケース１のエンジンケース等の取付相手側部材８に取り付けられている基端１ａと対向する閉塞端１ｂに突刺し、尖端付き固定具２１をエレメントケース１に突刺した状態で、レンチ等の工具を係止角柱１１に係合して略円板状体７を回転させることにより、尖端付き固定具２１がエレメントケース１を回転させてエンジンケース等の取付相手側部材８からエレメントケース１を取外し可能であることが分かる。 
 　 　 
（３）上記（１）及び（２）より、引用文献（特に、段落【００２４】及び【００２５】並びに図６及び図７）には、次の発明が記載されている。 
 　 
「　略円板状体７と、
　　略円板状体７にねじ固定され、エレメントケース１に突刺し可能な尖端付き固定具２１と、
　　略円板状体７に設けられ、略円板状体７を回転させるためのレンチ等の工具を係合する係止角柱１１と、
を有し、
　略円板状体７は、板状であり、尖端付き固定具２１を複数ねじ固定しており、
　係止角柱１１は、略円板状体７において、エレメントケース１のエンジンケース等の取付相手側部材８に取り付けられている基端１ａと対向する閉塞端１ｂに対向して配置される他側面７ｂに設けられており、
　尖端付き固定具２１を、エレメントケース１のエンジンケース等の取付相手側部材８に取り付けられている基端１ａと対向する閉塞端１ｂに突刺し、尖端付き固定具２１をエレメントケース１に突刺した状態で、レンチ等の工具を係止角柱１１に係合して略円板状体７を回転させることにより、尖端付き固定具２１がエレメントケース１を回転させてエンジンケース等の取付相手側部材８からエレメントケース１を取外し可能であるエレメントケースの回転補助具。」（以下、「引用文献記載の発明」という。） 
 　　　 　 　 
　
第４　対比  
　本願発明と引用文献記載の発明を対比する。 
　引用文献記載の発明における「略円板状体７」は、その構成、機能及び技術的意義からみて、本願発明における「基部」に相当し、以下同様に、「エレメントケース１」は「オイルフィルター」に、「尖端付き固定具２１」は「突起部」に、「レンチ等の工具」は「工具」に、「係止角柱１１」は「係合部」に、「エンジンケース等の取付相手側部材８」は「エンジンエレメント」に、「略円板状体７において、エレメントケース１のエンジンケース等の取付相手側部材８に取り付けられている基端１ａと対向する閉塞端１ｂに対向して配置される他側面７ｂ」は「前記基部において、前記オイルフィルターの前記エンジンエレメントに取り付けられている面と対向する面に対向して配置される面」に、「エレメントケース１のエンジンケース等の取付相手側部材８に取り付けられている基端１ａと対向する閉塞端１ｂ」は「前記オイルフィルターの前記エンジンエレメントに取り付けられている面と対向する面」に、「エレメントケースの回転補助具」は「オイルフィルターの取外し工具」に、それぞれ相当する。 
　そして、引用文献記載の発明における「略円板状体７にねじ固定され」と、本願発明における「前記基部に立設され」は、「前記基部に固定され」という限りにおいて、また、引用文献記載の発明における「尖端付き固定具２１を複数ねじ固定しており」と、本願発明における「前記突起部を複数有しており」は、「前記突起部を複数固定しており」という限りにおいて、それぞれ一致する。
　
１　一致点について 
　したがって、両者は、 
「基部と、
　前記基部に固定され、オイルフィルターに突刺し可能な突起部と、
　前記基部に設けられ、前記基部を回転させるための工具を係合する係合部と、
を有し、
　前記基部は、板状であり、前記突起部を複数固定しており、
　前記係合部は、前記基部において、前記オイルフィルターの前記エンジンエレメントに取り付けられている面と対向する面に対向して配置される面に設けられており、
　前記突起部を、前記オイルフィルターの前記エンジンエレメントに取り付けられている面と対向する面に突刺し、前記突起部を前記オイルフィルターに突刺した状態で、前記工具を前記係合部に係合して前記基部を回転させることにより、前記突起部が前記オイルフィルターを回転させて前記エンジンエレメントから前記オイルフィルターを取外し可能であることを特徴とするオイルフィルターの取外し工具。」
である点で一致し、以下の点で相違する。 
 　 
２　相違点について 
１　相違点１
　「前記基部に固定され」及び「前記突起部を複数固定しており」に関して、本願発明においては、「前記基部に立設され」及び「前記突起部を複数有しており」であるのに対し、引用文献記載の発明においては、「略円板状体７にねじ固定され」及び「尖端付き固定具２１を複数ねじ固定しており」である点（以下、「相違点１」という。）。 
　
２　相違点２
　本願発明においては、突起部が「オイルフィルターの内部に収容されているフィルター本体に達するように突刺した状態」となるのに対し、引用文献記載の発明においては、尖端付き固定具２１が「エレメントケース１に突刺した状態」ではあるが、どこまで達しているかは不明な点（以下、「相違点２」という。）。
　
　
第５　相違点の検討  
　上記相違点１及び２について、以下に検討する。 
１　相違点１について
　引用文献記載の発明は、引用文献の図７の記載からみて、「尖端付き固定具２１」は「略円板状体７」に略垂直にねじ固定されていることが看取できるので、本願発明と同様に「尖端付き固定具２１」は「略円板状体７」に立設されているといえる。
　また、引用文献記載の発明は、上記ウ．の段落【００２４】の「
該尖端付き固定具２１を貫通させる孔２５には該尖端付き固定具２１のおねじに対応するめねじを備えさせることが望ましい。
　してみると、上記相違点１は実質的な相違点ではない。
  　
　さらに、本願明細書の段落【００２８】の『基部２、突起部３および係合部４の形成方法は、特に限定されるものではなく、基部２と突起部３と係合部４とは、同じ材質で形成する場合は、ダイカスト鋳造法などを用いて一体成型することができる。基部２と突起部３および／または係合部４とを異なる材質で形成する場合は、基部２に対して突起部３および／または係合部４を溶接してもよいし、ダイカスト鋳造法を用いて突起部３および／または係合部４をインサートしてもよい。』という記載、平成２６年６月５日付け審判請求書の第３ページ第２行ないし第２２行の『本願請求項１，２に係る発明は、基部に設けられた突起部をオイルフィルターに突き刺すのに対して、引用文献１に記載の発明は、略円板状体とは別体である尖端付き固定具を略円板状体に形成されている孔に貫通させてエレメントケースに突き刺す点で相違する。・・・ここで、引用文献１には、「尖端付き固定具２１は溝付きの頭部を備えた円錐状体におねじを刻設してなるものとし、該尖端付き固定具２１を貫通させる孔２５には該尖端付き固定具２１のおねじに対応するめねじを備えさせることが望ましい。」とのみ記載されている。このような尖端付き固定具をエレメントケースに突き刺す場合、尖端付き固定具の頭部にドライバーを係合させ略円板状体の孔に螺合させるように尖端付き固定具を回転させることにより、尖端付き固定具の先端がエレメントケースに穴をあけるようにして突き刺さるようにすることになる。しかしながら、エレメントケースは、通常、剛性の高い材質で形成されているため、上述のような手法で尖端付き固定具をエレメントケースに突き刺すことは困難である。これに対して、本願請求項１，２に係る発明は、突起部が基部に設けられているため、突起部をオイルフィルターに突き当てた状態で、基部あるいは係合部をめがねレンチ等で叩くだけでオイルフィルターに容易に突き刺すことができる。このように、本願発明は、非常に簡易な構造ながら、エンジンルームという限られたスペースで作業を行うのに際立って優れた作業性を有するという効果がある。』という請求人の主張を参酌して、本願発明において、突起部が基部に「立設され」、基部は突起部を「有して」いることが、突起部が基部に元々一体化されているという意味を含むものであるとした場合について、以下検討する。
　引用文献記載の発明においては、尖端付き固定具２１はねじを採用しているので、尖端付き固定具２１と略円板状体７は、元々は別体として構成されており、元々一体化しているものではない。
　しかし、一般的に固着手段として、ねじ、又は、釘を採用すること、並びに、固着手段と固定対象物を別体として構成すること、又は、一体として構成することは、当業者が適宜選択し得る設計的事項である。
　してみると、引用文献記載の発明において、尖端付き固定具２１として釘を採用し、尖端付き固定具２１を略円板状体７に元々一体化すること、すなわち、上記相違点１に係る本願発明の発明特定事項とすることは、当業者が容易になし得ることである。
　
２　相違点２について
　本願明細書の段落【００２６】の『また、突起部３の長さは、突起部３の根元近傍までオイルフィルターＦに突刺した際に、オイルフィルターＦの内部に収納されているフィルター本体（図示しない）に達する程度の長さであることが好ましい。突起部３が、フィルター本体に突き刺さされている状態で基部２を回転させることにより、その回転力をより確実にオイルフィルターＦに伝えることができる。』という記載からみて、本願発明において、突起部が「オイルフィルターの内部に収容されているフィルター本体に達するよう」に突刺すのは、回転力をより確実にオイルフィルターＦに伝えるためであると解することができる。
　そして、上記ウ．の段落【００２５】の「
尖端付き固定具２１を略円板状体７の孔２５に貫通させてエレメントケース１の閉塞端１ｂに突き刺すことにより略円板状体７をエレメントケース１に固定した状態で略円板状体７を回転させることによりエレメントケース１を回転させるようになす。
　ここで、釘等の固着手段において、突き刺す深さが大きくなるにしたがって固着力が大きくなることは技術常識であり、エレメントケースの内部にフィルターが存在することも技術常識であるので、引用文献記載の発明において、確実に回転力をエレメントケース１に伝えることを主眼として、尖端付き固定具２１をフィルター本体に達する長さとすることは、当業者が必要に応じてなし得る設計事項である。
　してみると、引用文献記載の発明において、上記相違点２に係る本願発明の発明特定事項とすることは、当業者が容易になし得ることである。 
　 
３　本願発明の効果について  
　そして、本願発明を全体として検討しても、引用文献記載の発明から予測される以上の格別の効果を奏するとも認めることができない。 
 　 　  
４　したがって、本願発明は、引用文献記載の発明に基づいて当業者が容易に発明をすることができたものである。  
 　  
 　 
第６　むすび  
　以上のとおり、本願発明は、引用文献記載の発明に基づいて当業者が容易に発明をすることができたものであるから、特許法第２９条第２項の規定により特許を受けることができないので、本願は拒絶すべきものである。  
 　  
よって、結論のとおり審決する。